(57)【要約】      （修正有）【課題】宣伝広告ボックスの側面、天面に企業名や商品名等を印刷して宣伝、広告効果を高めることができる宣伝広告機能付手荷物運搬カートを提供する。【解決手段】宣伝広告機能付手荷物運搬カート１０はカート本体１２と、このカート本体１２に載置される宣伝広告ボックス１４とから構成されている。カート本体１２のカートシャフト１６，１８の上端部には把持体１９が着脱可能に設けられている。カートシャフト１６，１８の下端部には宣伝広告ボックス１４を載置する宣伝広告ボックス載置体２０が設けられている。この宣伝広告ボックス載置体２０の下面にはキャスター４４，４６が回転自在に設けられている。前記宣伝広告ボックス１４の蓋体５６及び側面５８には企業名や商品名あるいは宣伝広告文等が印刷されている。【選択図】図１
0003119510.tif 000002
【実用新案登録請求の範囲】
【請求項１】
キャスターが設けられたカート本体と、このカート本体に着脱可能に載置されると共に表面に企業名や商品名等の宣伝、広告が印刷された宣伝広告ボックスと、を有してなることを特徴とする宣伝広告機能付手荷物運搬カート。
【請求項２】
カート本体と、このカート本体に着脱可能に設けられると共に表面に企業名や商品名等が印刷された箱状の宣伝広告ボックスを備えてなる特徴とする宣伝広告機能付手荷物運搬カートであって、前記カート本体を構成する一対のカートシャフトと、これらカートシャフトの上端部に設けられた把持体と、前記カートシャフトの下端部に設けられて前記宣伝広告ボックスを載置する宣伝広告ボックス載置体と、前記宣伝広告ボックス載置体の下面に設けられたキャスターと、を有してなることを特徴とする宣伝広告機能付手荷物運搬カート。
【請求項３】
カート本体と、このカート本体に着脱可能に設けられると共に表面に企業名や商品名等が印刷された箱状の宣伝広告ボックスを備えてなる特徴とする宣伝広告機能付手荷物運搬カートであって、前記カート本体を構成する一対のカートシャフトと、これらカートシャフトの上端部に着脱可能に設けられた把持体と、前記カートシャフトの下端部に設けられて前記宣伝広告ボックスを載置する宣伝広告ボックス載置体を構成する前部載置台と、この前部載置台の両側部にそれぞれ設けられた突出筒部と、これら突出筒部にそれぞれ挿入されると共に前記宣伝広告ボックス載置体を構成するジョイント筒体と、これらジョイント筒体の後方に設けられると共に前記宣伝広告ボックス載置体を構成する後部載置台と、この後部載置台の両側部にそれぞれ突設されると共に前記ジョイント筒体にスライド可能に挿入されるスライド突起部と、前記後部載置台の底面に突設された脚部と、前記前部載置台の両側部の下面にそれぞれ設けられたキャスターと、を有してなることを特徴とする宣伝広告機能付手荷物運搬カート。
【請求項４】
カート本体と、このカート本体に着脱可能に設けられると共に表面に企業名や商品名等が印刷された箱状の宣伝広告ボックスを備えてなる特徴とする宣伝広告機能付手荷物運搬カートであって、前記カート本体を構成する一対のカートシャフトと、これらカートシャフトの上端部に着脱可能に設けられた把持体と、前記カートシャフトの下端部に設けられて前記宣伝広告ボックスを載置する宣伝広告ボックス載置体を構成する前部載置台と、この前部載置台の両側部にそれぞれ設けられた突出筒部と、これら突出筒部にそれぞれ挿入されると共に前記宣伝広告ボックス載置体を構成するジョイント筒体と、これらジョイント筒体の後方に設けられると共に前記宣伝広告ボックス載置体を構成する後部載置台と、この後部載置台の両側部にそれぞれ突設されると共に前記ジョイント筒体にスライド可能に挿入されるスライド突起部と、前記後部載置台の両側部の底面にそれぞれ突設された脚部と、前記前部載置台の両側部の下面にそれぞれ設けられたキャスターと、前記宣伝広告ボックスの側面に形成されると共に前記カートシャフトが挿通される一対のスリットと、を有してなることを特徴とする宣伝広告機能付手荷物運搬カート。
【請求項５】
前記カート本体を合成樹脂材で形成すると共に前記宣伝広告ボックスを段ボールで形成したことを特徴とする請求項１、請求項２、請求項３、請求項４記載の宣伝広告機能付手荷物運搬カート特徴。
【考案の詳細な説明】
【技術分野】
【０００１】
本考案は、主に商品発表展示会等の会場において会場内にブースを設けた企業がブース訪問者に対して宣伝、広告のために自社や自社商品のカタログやパンフレット等を入れて付与する宣伝広告機能付手荷物運搬カートに関する。
【背景技術】
【０００２】
商品発表展示会等の会場においては、各企業は自社のブースに訪れた訪問者に対して自社や自社商品の宣伝、広告のために自社や自社商品のカタログやパンフレット等の配布物が入った紙袋やビニール袋を付与している。
ところで、通常この紙袋やビニール袋の側面には企業名や商品名等が印刷されており、これら紙袋やビニール袋も企業や商品の宣伝、広告の役目を果たすようになっている。
しかし、紙袋やビニール袋に企業名や商品名等を印刷するとしても袋は袋の側面にしか印刷スペースがなく、商品発表展示会等の会場を訪れている者に対するアピール効果が少ないという不具合がある。
また、商品カタログや商品パンフレット等を入れた紙袋やビニール袋は複数提げると重量があるため、このような袋を提げて会場内を歩き回ると疲れてしまうという不具合がある。
【考案の開示】
【考案が解決しようとする課題】
【０００３】
本考案は、上記事実に鑑みなされたものでありカート本体に取り付けられた宣伝広告ボックスの側面、天面を印刷スペースとして企業名や商品名等を印刷することができるので第三者の目に触れ易く宣伝、広告効果を高めることができる共に宣伝広告ボックスはカート本体に取り付けられているので歩き回っても疲れにくい宣伝広告機能付手荷物運搬カートを提供するものである。
【課題を解決するための手段】
【０００４】
請求項１の考案は、キャスターが設けられたカート本体と、このカート本体に着脱可能に載置されると共に表面に企業名や商品名等の宣伝、広告が印刷された宣伝広告ボックスと、を有してなることを特徴としている。
請求項２の考案は、カート本体と、このカート本体に着脱可能に設けられると共に表面に企業名や商品名等が印刷された箱状の宣伝広告ボックスを備えてなる特徴とする宣伝広告機能付手荷物運搬カートであって、前記カート本体を構成する一対のカートシャフトと、これらカートシャフトの上端部に設けられた把持体と、前記カートシャフトの下端部に設けられて前記宣伝広告ボックスを載置する宣伝広告ボックス載置体と、前記宣伝広告ボックス載置体の下面に設けられたキャスターと、を有してなることを特徴としている。
請求項３の考案は、カート本体と、このカート本体に着脱可能に設けられると共に表面に企業名や商品名等が印刷された箱状の宣伝広告ボックスを備えてなる特徴とする宣伝広告機能付手荷物運搬カートであって、前記カート本体を構成する一対のカートシャフトと、これらカートシャフトの上端部に着脱可能に設けられた把持体と、前記カートシャフトの下端部に設けられて前記宣伝広告ボックスを載置する宣伝広告ボックス載置体を構成する前部載置台と、この前部載置台の両側部にそれぞれ設けられた突出筒部と、これら突出筒部にそれぞれ挿入されると共に前記宣伝広告ボックス載置体を構成するジョイント筒体と、これらジョイント筒体の後方に設けられると共に前記宣伝広告ボックス載置体を構成する後部載置台と、この後部載置台の両側部にそれぞれ突設されると共に前記ジョイント筒体にスライド可能に挿入されるスライド突起部と、前記後部載置台の底面に突設された脚部と、前記前部載置台の両側部の下面にそれぞれ設けられたキャスターと、を有してなることを特徴としている。
請求項４の考案は、カート本体と、このカート本体に着脱可能に設けられると共に表面に企業名や商品名等が印刷された箱状の宣伝広告ボックスを備えてなる特徴とする宣伝広告機能付手荷物運搬カートであって、前記カート本体を構成する一対のカートシャフトと、これらカートシャフトの上端部に着脱可能に設けられた把持体と、前記カートシャフトの下端部に設けられて前記宣伝広告ボックスを載置する宣伝広告ボックス載置体を構成する前部載置台と、この前部載置台の両側部にそれぞれ設けられた突出筒部と、これら突出筒部にそれぞれ挿入されると共に前記宣伝広告ボックス載置体を構成するジョイント筒体と、これらジョイント筒体の後方に設けられると共に前記宣伝広告ボックス載置体を構成する後部載置台と、この後部載置台の両側部にそれぞれ突設されると共に前記ジョイント筒体にスライド可能に挿入されるスライド突起部と、前記後部載置台の両側部の底面にそれぞれ突設された脚部と、前記前部載置台の両側部の下面にそれぞれ設けられたキャスターと、前記宣伝広告ボックスの側面に形成されると共に前記カートシャフトが挿通される一対のスリットと、を有してなることを特徴としている。
請求項５の考案は、前記カート本体を合成樹脂材で形成すると共に前記宣伝広告ボックスを段ボールで形成したことを特徴としている。
【考案の効果】
【０００５】
本考案は、カート本体に取り付けられた宣伝広告ボックスの側面、天面に企業名や商品名等を印刷することができるので第三者の目に触れ易く、これにより宣伝、広告効果を一段と高めることができるという優れた効果を有する。
本考案は、カタログやパンフレット等は宣伝広告ボックスに入れてカート本体を転がせて歩けばよいので、多数のカタログやパンフレット等を貰って歩き回っても疲れにくいという優れた効果を有する。
また、本考案は、カート本体から宣伝広告ボックスを簡単に取り外すことができるので、カート本体及び宣伝広告ボックスをそれぞれ別々に使用することができるという優れた効果を有する。
【考案を実施するための最良の形態】
【０００６】
考案を実施するために最良の形態の例として以下のような実施例を示す。
【実施例１】
【０００７】
図１〜図３には本考案の宣伝広告機能付手荷物運搬カートの一実施例が示されている。
図１に示されるように、この宣伝広告機能付手荷物運搬カート１０は合成樹脂材で形成されたカート本体１２と、このカート本体１２に載置される紙の段ボールで箱状に形成された宣伝広告ボックス１４とから構成されている。
前記カート本体１２には間隔を設けてカートシャフト１６，１８が平行に設けられている。このカートシャフト１６、１８の上端部には棒状の把持体１９が着脱可能に設けられている。
図３に示されるように、前記カートシャフト１６，１８の下端部には前記宣伝広告ボックス１４（図１参照）を載置する宣伝広告ボックス載置体２０が設けられている。この宣伝広告ボックス載置体２０を構成する前部載置台２２は前記カートシャフト１６，１８に適宜手段を介して取り付けられている。この前部載置台２２の両側部には突出筒部２４，２６が設けられている。
図２に示されるように、この突出筒部２４，２６には前記前部載置台２２と共に宣伝広告ボックス載置部２０を構成するジョイント筒体３０，３２の先端部３０Ａ，３２Ａが挿入されている。従って、前記突出筒部２４には前記ジョイント筒体３０が突出して取り付けられ、前記突出筒部２６には前記ジョイント筒体３２が突出して取り付けられるようになっている。
また、ジョイント筒体３０，３２には後方には前記前部載置台２２、ジョイント筒体３０，３２と共に前記宣伝広告ボックス載置体２０を構成する後部載置台３４が配設されている。この後部載置台３４の両側部にはスライド突起部３６，３８が設けられている。このスライド突起部３６は前記ジョイント筒体３０にスライド可能に挿入され、スライド突起部３８は前記ジョイント筒体３２にスライド可能に挿入されている。
従って、これらスライド突起部３６，３８の挿入長さにより前記後部載置台３４を前後方向にスライドさせることができるので、宣伝広告ボックス載置体２０に載置する前記宣伝広告ボックス１４の奥行寸法Ａ（図１参照）に合わせることができるようになっている。前記後部載置台３４の両側部の底面には脚部４０，４２が突設されている。
図１〜図３に示されるように、前記前部載置台２２の下面にはキャスター４４，４６が回転自在に設けられている。従って、キャスター４４，４６を回転させることによりカート本体１２を転がして移動させることができるようになっている。
図３に示されるように、前記宣伝広告ボックス載置体２０に載置される前記宣伝広告ボックス１４は開口部５２を介して収容部５４に商品カタログや商品パンフレット等を収容することができるようになっている。なお、前記宣伝広告ボックス１４には天面としての蓋体５６が設けられ、蓋体５６で前記開口部５２を開閉できるようになっている。
前記宣伝広告ボックス１４の蓋体５６及び側面５８は印刷スペース５９となり、企業名や商品名あるいは宣伝広告文等が印刷されている。
図１に示されるように、前記宣伝広告ボックス１４の一つの側面５８にはスリット６０，６２が上下方向に対向して形成され、このスリット６０，６２に前記カートシャフト１６，１８が挿通されている。従って、これにより前記宣伝広告ボックス１４は前記カート本体１２に取り付けられるようになっている。
【０００８】
次に、実施例の宣伝広告機能付手荷物運搬カート１０の作用について説明する。
商品発表展示会等の会場内でブースを設けた企業はブース訪問者に対して自社や自社製品等の宣伝、広告のために宣伝広告ボックス１４に商品カタログや商品パンフレット等が入った宣伝広告機能付手荷物運搬カート１０を付与する。
従って、ブース訪問者はこの宣伝広告機能付手荷物運搬カート１０を転がしながら商品発表展示会の会場を歩き回ることになるが、前記宣伝広告ボックス１４の蓋体５６や側面５８の印刷スペース５９には宣伝広告機能付手荷物運搬カート１０を付与した企業名、ブース番号、商品名や宣伝広告文等が印刷されている。
このため、商品発表展示会の会場を訪問した者は前記宣伝広告機能付手荷物運搬カート１０の宣伝広告ボックス１４に印刷されている企業名、商品名や宣伝広告文等を自然と見ることになる。この結果、宣伝広告機能付手荷物運搬カート１０を付与した企業にとっては商品発表展示会の来訪者に自社や自社商品の宣伝、広告の効果を一段と高めることができる。
また、商品発表展示会の会場で訪れた企業から商品カタログや商品パンフレットを数多く貰っても商品カタログや商品パンフレットを宣伝広告機能付手荷物運搬カート１０の宣伝広告ボックス１４に入れた状態で宣伝広告機能付手荷物運搬カート１０を転がして歩き回ることができるので、商品発表展示会の会場を歩き回っても商品カタログや商品パンフレット等の重さで疲れてしまうことを防止することができる。
なお、宣伝広告機能付手荷物運搬カート１０は合成樹脂材で形成されたカート本体１２と、段ボールで形成された宣伝広告ボックス１４とから構成されているので安価に製造でき、これにより企業はブース訪問者に宣伝広告機能付手荷物運搬カート１０を付与しても企業の経済的負担の許容範囲に抑えることができる。
【０００９】
なお、前記実施例では宣伝広告ボックス１４を載置する宣伝広告ボックス載置体２０は前部載置台２２、ジョイント筒体３０，３２、後部載置台３４の３つの部材を組み合わせて構成したが、前記宣伝広告ボックス載置体２０の構造はこれに限定されるものではなく、例えば図４に示されるように１つの部材で前記宣伝広告ボックス載置体２０を形成してもよいことは勿論である。
また、宣伝広告ボックス載置体２０の形状は実施例に記載した前記宣伝広告ボックス載置体２０の形状に限定されるものでないことは勿論である。
【００１０】
なお、前記実施例では本考案の宣伝広告機能付手荷物運搬カート１０の使用用途として商品発表展示会等において企業のブースに訪れた訪問者に対して企業が広告、宣伝のために自社商品のカタログやパンフレットを入れた状態で付与する場合を示したが、宣伝広告機能付手荷物運搬カート１０の使用用途はこれに限定されるものでないことは勿論である。
また、前記宣伝広告ボックス１４はカートシャフト１６，１８から把持体１９を取り外してカートシャフト１６，１８を宣伝広告ボックス１４のスリット６０，６２から抜き取れば簡単にカート本体１２から取り外すことができるので、カート本体１２から取り外した宣伝広告ボックス１４を宅配便を送るときの包装用容器や部屋に商品をしまうときの包装容器として使用することができて便利である。
さらに、カート本体１２は買物等他の目的で使用することもできるので便利である。
【図面の簡単な説明】
【００１１】
【図１】実施例の宣伝広告機能付手荷物運搬カートの全体斜視図である。
【図２】実施例の宣伝広告機能付手荷物運搬カートのカート本体の側面図である。
【図３】実施例の宣伝広告機能付手荷物運搬カートのカート本体の斜視図である。
【図４】他の実施例の宣伝広告機能付手荷物運搬カートのカート本体の斜視図である。
【符号の説明】
【００１２】
１０    宣伝広告機能付手荷物運搬カート
１２    カート本体
１４    宣伝広告ボックス
１６    カートシャフト
１８    カートシャフト
１９    把持体
２０    宣伝広告ボックス載置体
２２    前部載置台
３０    ジョイント筒体
３２    ジョイント筒体
３４    後部載置台
４０    脚部
４２    脚部
４４    キャスター
４６    キャスター
【図１】
0003119510.tif 000003
【図２】
0003119510.tif 000004
【図３】
0003119510.tif 000005
【図４】
0003119510.tif 000006